(57)【要約】  新鮮な組成物のデリバリシステムは、不安定な有効成分から化粧品として許容されるキャリアを分離するためのホイルシールで分離された２つの区画を有するパッケージを備える。ダートを有するエラストマー球は、ホイルシールを突き刺さすためにユーザによって作動させることができる。これにより、担体と有効成分は、パッケージ内で混合可能となって使用直前に組成物を形成する。結果として生じる混合された組成物では、相対湿度が６０％で２５°Ｃで保存された場合、組成物中における不安定な有効成分のレベルは、７日間で６％未満の減少となる。【選択図】図２
2020501870.tif 000002
【特許請求の範囲】
【請求項１】
新鮮な組成物のデリバリシステムであって、
皮膚科学的に許容される担体を含む第１成分と、少なくとも１つの不安定な有効成分を含む第２成分とを含む組成物と、
前記組成物の前記第１成分及び前記第２成分を使用前に分離して保持するパッケージと、
を備え、
前記パッケージは、
第１端部にキャップを有する分配用の注ぎ口と、開口第２端部と、前記第１端部の近傍においてリザーバを画定するチューブの第１部分と、前記リザーバ内に保存されたある量の前記第１成分と、内方へ向けられているシール面を画定する前記チューブの前記開口第２端部の内面を有し、前記チューブにおいて前記開口第２端部の近傍の第２部分とを有する前記チューブと、
前記チューブの前記第２部分にぴったり合うような大きさの管状のボディを有するカートリッジと、
を備え、
前記ボディは、前記チューブの前記内方へ向けられているシール面を気密性の係合で係合するための外側に向けられているシール面と、前記リザーバに向かって開口するように前記チューブ内に配置されている、前記ボディの内端と、前記内端の反対側の前記ボディの外端と、前記内端を閉鎖するホイル内側シールと、前記内端と前記外端の間において前記ボディに配置され、前記ボディの前記内端と前記外端の間にハーメチックバリアを形成しているアクチュエータ膜と、前記ホイル内側シールと前記アクチュエータ膜との間で前記ボディ内に画定されるチャンバと、前記チャンバ内に保存されたある量の前記第２成分と、前記ホイル内側シールに向かって前記チャンバ内に突出するように、前記アクチュエータ膜に取り付けられているダートとを有し、
前記アクチュエータ膜は、前記ダートが前記ホイル内側シールを突き刺して、ある量の前記第２成分をある量の前記第１成分内に放出して、使用の直前に前記組成物の混合ができるように、前記内端に向かって可動であり、
前記リザーバ内で前記第１成分及び前記第２成分を混合させることによって形成される前記組成物は、６０％の相対湿度で２５°Ｃで保存された場合、前記組成物中において７日間で６％未満の減少となる前記不安定な有効成分のレベルを有するシステム。
【請求項２】
請求項１記載のシステムであって、
前記アクチュエータ膜は、前記外端に向けて凸状に突出するエラストマー球であるシステム。
【請求項３】
請求項１記載のシステムであって、
前記カートリッジの前記ボディの前記外端を閉鎖するホイル外側シールをさらに備えるシステム。
【請求項４】
請求項３記載のシステムであって、
前記外側ホイルシールは、前記カートリッジの前記外端からの前記ホイル外側シールの取り外しを容易にするために径方向の外側に突出するタブを有するシステム。
【請求項５】
請求項１記載のシステムであって、
前記有効成分は、ビタミンＣ、ビタミンＥ、酸化されやすい植物成分、レチノール、レスベラトロール、スチルベノイド、トコフェロール、レチノイド、葉酸、ヘアカラーリング剤、コーヒー酸、クロロゲン酸、没食子酸、高多価不飽和油、高リノレン酸オイル、亜麻仁油、ラズベリー種子油、クランベリー種子油、カシス種子油、シシンブリウムオイル、えごま油、カメリナオイル、サルビアヒスパニカ油、高リノール酸油、ザクロ種子油、あんず油、カシグルミ油、ヘンプシードオイル又は小麦胚芽油のいずれかの１つから選択されるシステム。
【請求項６】
請求項１記載のシステムであって、
前記有効成分は、粉末状であるシステム。
【請求項７】
請求項１記載のシステムであって、
前記ダートを前進させて、前記内側ホイルシールを突き刺すために、前記アクチュエータを動かすのに必要な力は、５．６ポンド乃至７．２ポンドの範囲内であるシステム。
【請求項８】
請求項７記載のシステムであって、
前記ダートを前進させて、前記内側ホイルシールを突き刺すために、前記アクチュエータを動かすのに必要な前記力は、約６．４ポンドであるシステム。
【請求項９】
請求項２記載のシステムであって、
前記ダートを前進させて、前記内側ホイルシールを突き刺すために、前記エラストマー球を動かすのに必要な力は、５．６ポンド乃至７．２ポンドの範囲内であるシステム。
【請求項１０】
請求項９記載のシステムであって、
前記ダートを前進させて、前記内側ホイルシールを突き刺すために、前記エラストマー球を動かすのに必要な前記力は、約６．４ポンドであるシステム。
【発明の詳細な説明】
【技術分野】
【０００１】
本発明は、新鮮な化粧品組成物のデリバリシステムに関する。特に、本発明は、デリバリシステム無しでは不安定な有効成分の供給のためのパッケージ及び組成物を対象とする。
【背景技術】
【０００２】
化粧品として有効な成分の多くは不安定である。例えば、ビタミンＣが、化粧品賦形剤に配合された場合、トーンの改善、ライン／しわの減少及びハリの改善等の臨床的利益をもたらすことが知られている。ビタミンＣは、乾燥し、固形で、結晶形態であれば安定していることが知られている。しかしながら、ビタミンＣは、水性賦形剤中では劣化することも知られている。本発明は、安定したビタミンＣ粉末を、使用の直前まで、例えば、水性賦形剤から分離して保存することを意図している。このようにすれば、水性賦形剤中のビタミンＣは、少なくとも７日間という製品の使用目的にあった適当な期間の間、安定した状態で保持可能となる。本発明は、不安定な有効成分を使用の直前まで皮膚科学的に許容される担体から分離して保存し、組成物中で少なくとも７日間有効で消費者が使用可能な不安定な有効成分のレベルを有する混合組成物（有効成分及び担体）をユーザに提供することを意図する。
【発明の概要】
【発明が解決しようとする課題】
【０００３】
本発明の主な目的は、それ無しでは不安定な有効成分を少なくとも７日間「新鮮な」状態で供給するためのパッケージ及び組成物を提供することである。
【課題を解決するための手段】
【０００４】
パッケージは、化粧品組成物の第１成分及び第２成分の分離に使用される。第１成分は、化粧品として許容される担体である。第２成分は、不安定な有効成分である。不安定な有効成分は、光、酸化、又は他の成分との組み合わせによって劣化するものであれば任意の物が可能である。パッケージは、第１成分用のリザーバ及びカートリッジを内部に有し、リザーバと流体連結されているチューブを備える。カートリッジは、第２成分、すなわち不安定な有効成分を第１成分から分離するためのチャンバを備える。このようにして、不安定な有効成分は、使用に先立って担体と混合して組成物を形成するまで、分離されて安定した状態で維持される。結果として生じる混合された組成物において、相対湿度が６０％で２５°Ｃで保存された場合、組成物中における不安定な有効成分のレベルは、７日間で６％未満の減少となる。
【図面の簡単な説明】
【０００５】
【図１】本発明のシステムで使用するために適切なパッケージの上部前方斜視図である。
【図２】図１のパッケージの上部前方斜視図である。
【図３】図１のパッケージの正面断面図である。
【図４】ダートがホイルシールを突き刺すために移動した状態における図１のパッケージの正面断面図である。
【図５】図３に示される正面図の部分拡大図である。
【図６】図１に示されるパッケージ内で使用するために適切なカートリッジの底面図である。
【図７】図６に示されるカートリッジの平面図である。
【図８】図６に示されるカートリッジの上部前方斜視図である。
【図９】図６に示されるカートリッジの正面断面図である。
【図１０】図６に示されるカートリッジの代替実施形態の正面断面図である。
【発明を実施するための形態】
【０００６】
次に図１乃至図１０を参照すると、組成物及びパッケージ２を備え、例示の新鮮な組成物デリバリシステムのためのパッケージ２が示されている。組成物は、皮膚科学的に許容される担体を有する第１成分を含んでいる。皮膚科学的に許容される担体は、以下にさらに説明されるように液体又はセラムを含んでもよい。組成物は、少なくとも１つの不安定な有効成分を有する第２成分をさらに含んでいる。不安定な有効成分は、不安定で、光、酸化、又は他の成分との組み合わせによって劣化する任意のスキンケア有効成分でもよい。不安定な有効成分の例には、たとえばビタミンＡ、ビタミンＣ、ビタミンＥ、酸化されやすい植物成分等が含まれる。他の例は、以下で示される。
【０００７】
パッケージ２は、使用前に分離可能な組成物の第１成分及び第２成分の保持に適合されている。パッケージは、第１端部１０にキャップ８を有する分配用の注ぎ口６と、開口第２端部１２とを有するチューブ４を備える。チューブは、内面２４を有する。第１端部１０に近接するチューブの第１部分１４は、チューブ４の第１部分１４と第２部分２０との間の内面２４に配置されている隔壁２６と注ぎ口６との間のリザーバ１６（図３参照）を画定する。第２端部１２に近接するチューブ２０の第２部分及び隔壁２６と第２端部１２の間では、内方に向けられているシール面２２が内面２４上に画定されている。
【０００８】
図２乃至図５に示されるように、チューブ４の第２部分２０にぴったり合うような大きさの管状のボディ３０を有するカートリッジ２８が備えられている。カートリッジ２８のボディ３０は、内方へ向けられているチューブ４のシール面２２を気密性の係合で係合するための外側に向けられているシール面３２を有している。外側に向けられているシール面上の円周状のリブ５４は、チューブ４の第２部分２０内でカートリッジ２８を固定及びシールするための付加的な摩擦圧力を与える。カートリッジ２８のボディ３０の内端３４は、内端３４がリザーバ１６に向けられ、リザーバ１６に対して開放可能となるようにチューブ４内に配置されている。カートリッジ２８のボディ３０は、内端３４の反対側に外端３６を有する。図３及び図４に示されるように、カートリッジ２８のボディ３０の外端３６は、チューブ４の開口第２端部１２の近位で合致している。しかしながら、外端３６は、チューブ４の第２端部１２内に埋め込まれてもよく、あるいはチューブ４の第２端部１２から延出していてもよい。ホイル内側シール３８は、カートリッジ２８のボディ３０の内端３４を閉じる。カートリッジがチューブ４の第２部分２０に固定された状態で、ホイル内側シール３８もチューブ４のリザーバ１６の端部を形成する。カートリッジ２８がチューブ４の第２部分２０に固定された状態で、液状である第１成分１８、すなわち、化粧品として許容されるある量の担体が、リザーバ１６内に保存される。
【０００９】
アクチュエータ膜４０は、カートリッジ２８のボディ３０内の内端３４と外端３６との略中間に位置付けられる。アクチュエータ膜４０は、ボディ３０の内端３４と外端３６との間にハーメチックバリアを形成する。中空チャンバ４２は、カートリッジ２８のボディ３０内のホイル内側シール３８とアクチュエータ膜４０との間に画定される。ある量の第２成分４４、すなわち、不安定な有効成分が、チャンバ４２内に保存される。図３及び図４では、第２成分４４は、形態として粒状で示されるが、適切ないかなる形態、例えば、液体、粉末又は１以上の固体タブレット（不図示）であってもよい。ブレード又はダート４６が、ホイル内側シール３８に向かってチャンバ４２内に突出するように、アクチュエータ膜４０に取り付けられている。図４に示されるように、アクチュエータ膜４０は、ブレード又はダート４６がホイル内側シール３８を突き刺して、ある量の第２成分４４をある量の第１成分１８内に放出させるように、内端３４上のホイル内側シール３８に向かって選択的に可動である。これにより、供給されて使用される少し前に第１及び第２成分、それぞれ１８及び４４が混合し、最終組成物を生成できる。
【００１０】
混合後、リザーバ１６内の第１及び第２成分、それぞれ１８及び４４を混合してこのように生成された組成物は、６０％の相対湿度で２５°Ｃで保存された場合、７日間で６％未満の減少となる不安定な有効成分（第２成分４４）のレベルを有する。
【００１１】
アクチュエータ膜４０は、外端３６に向けて凸状に突出するエラストマー球４８（本明細書中でアクチュエータ球又はアクチュエータボタン又はアクチュエータとも呼ばれる）であってもよい。エラストマー球４８は、ブレード又はダート４６をホイル内側シール３８に突き刺すために動かすアクチュエータボタンとして動作する。カートリッジ２８のボディ３０の外端３６は、カートリッジ２８の外端３６への埃又はデブリの侵入を防ぐホイル外側シール５０によって閉じられていてもよい。ユーザにとって便利になるように、ホイル外側シール５０には、カートリッジの外端からホイル外側シール５２の取り外しを容易にするためにホイル外側シールから（図１及び２に示されるように）径方向の外側に突出するタブ５２が設けられていてもよい。好適には、整った外観を呈するため、及びシールが時期尚早に剥がれることを回避するため、タブ５２は、図３に示されるように、シール５０に対して平らに折り畳まれる。
【００１２】
本発明は、異なる不安定な有効成分及び分子を、異なる皮膚科学的に許容される担体又は賦形剤との組み合わせで、活用できるように意図されている。例えば、ビタミンＣ（アスコルビン酸）の場合、１％〜２０％の量が使用されてもよい。ビタミンＡ（レチノール）の場合、０．０１％〜２．７％の量が使用されてもよい。
【００１３】
第２成分を備える不安定な有効成分は、光、酸化、経時、極度のｐＨによる又は他の成分との組み合わせによる劣化の影響を受けるいかなる成分であってもよい。不安定な有効成分は、完全な組成物を作り上げる残りの配合から分離されることで有効となるいかなる成分であってもよい。例えば、不安定な有効成分は、ビタミンＣ、ビタミンＥ、酸化されやすい植物成分、レチノール、レスベラトロール（又は他のスチルベノイド類）トコフェロール類、レチノイド類、葉酸又はヘアカラーリング剤であってもよい。不安定な有効成分は、高ｐＨでは安定しない、コーヒー酸、クロロゲン酸又は没食子酸であってもよい。不安定な有効成分は、例えば、高多価不飽和油、高リノレン酸オイル、亜麻仁油、ラズベリー種子油、クランベリー種子油、カシス種子油、シシンブリウムオイル、えごま油、カメリナオイル、サルビアヒスパニカ油、高リノール酸油、ザクロ種子油、あんず油（アプリコット種子）、カシグルミ（クルミ）油、ヘンプシードオイル又は小麦胚芽油等の光又は酸化に弱い油であってもよい。不安定な有効成分は、粉末状、液状、タブレット状又は固形状でチャンバ内に供給されてもよい。
【００１４】
皮膚科学的に許容される担体を含有する第１成分１８は、以下の例１による配合を有する液体であってもよい。
2020501870.tif 000003
【００１５】
例１に示された第１成分１８（担体）は、新鮮な組成物を形成するために、１０％のレベルでビタミンＣ（アスコルビン酸）を含む第２成分４４（有効成分）と使用することに適している。前述の例では、１グラムのビタミンＣが、カートリッジ２８内のチャンバ４２に提供され、９ｍｌの化粧品として許容できる担体１８が、チューブ４のリザーバ１６に提供される。２つの成分を混合することで、７日間以内の使用が適切な「新鮮な」組成物を供給が生み出される。
【００１６】
本発明での使用に適切な代替的な第１成分１８が、以下の例２に示される。
2020501870.tif 000004
【００１７】
例２に示された第１成分１８は、新鮮な組成物を生成するため、約２．７％の量のビタミンＡ（レチノール）含有化合物（例えば、ＢＡＳＦから供給されるレチノール１０Ｓ）と使用するのに適している。レチノール含有化合物は、レチノールを大豆油とブレンドしたもので、典型的なレチノールの濃度は、約１１％である。従って、システムによって届けられるレチノールの量は約０．２９７％であるだろう。
【００１８】
当然、不安定な有効成分（第２成分４４）は、最終配合における広い範囲の百分率量を提供するために適切ないかなる量で提供されてもよく、より少ない又はより多い不安定な有効成分を考慮して、第１成分１８の材料割合はそれ相応に調整される必要があることが理解されるであろう。
【００１９】
パッケージの各部は、射出成形又は他の適切な成形手段によって作成されてもよい。
【００２０】
不安定な有効成分、第２成分４４を含有するカートリッジ２８は、ホイル内側シール３８とホイル外側シール５０とで各端部が密封されることが好ましい。ホイル内側シール３８及びホイル外側シール５０は同じ材料、９６％のアルミニウム及び４％のポリエチレン（Ａｍｃｏｒ  Ｓｔｅｒｉｌ  Ｕｐ（登録商標）Ａｌｕｔｈｅｎｅ  ＩＩの商品名で入手可能）又は他の適切な材料で構成される厚さ０．１５ｍｍのホイルからできていてもよい。ホイル内側シールへの１層以上のコーティングは任意である。ホイル外側シールは、追加のコーティングを有してもよいし、又はホイル外側シール上にしるしが印刷されていてもよい。ホイル内側シール３８及びホイル外側シール５０のそれぞれは、誘導加熱及び大気的に管理された環境で圧力をかけることによって、カートリッジ２８の各内側及び外側端部、３４及び３６に固定されることが好ましい。代替的に、シールは接着剤で固定されてもよい。ホイル内側シール３８は、「打ち抜きホイル」と呼ばれてもよいし、消費者から見ることのできるホイル外側シール５０は、「剥ぎ取りホイル」と呼ばれてもよい。上述のように、ホイル外側シール５０、すなわち、剥ぎ取りホイルには、カートリッジ２８の外端３６にあるアクチュエータ球４８にアクセスしやすくするために消費者によって使用できる「プルタブ」とも呼ばれる、（図１及び図２に示されるような）径方向の外側に延びているタブ５２が設けられていてもよい。外観美的な目的から、図３に示されるように、プルタブ５２は、ホイル外側シール５０に対して折り畳まれて整った外観を呈し、時期尚早にシールが剥がれることを回避することが好ましい。
【００２１】
カートリッジ２８のボディ３０は、カートリッジ２８のボディ３０の外端３６に向かって凸状に突出しているエラストマー球４８の形状でオーバーモールドしたＴＰＥアクチュエータ膜を有する射出成形されたポリプロピレンプラスチックであることが好ましい。他の材料は他の不安定な有効成分及び他の担体と使用するのに適していてもよい。構造は、球４８がユーザによって圧迫されることを可能にし、ブレード又はダート４６をホイル内側シール３８に押し込み、ホイル内側シール３８を破ることで、第２成分４４の不安定な有効成分を第１成分１８の化粧品として適切な担体と混合できる。ダート４６を前進させて、ホイル内側シール３８を突き刺すために、アクチュエータ球４８を動かすのに必要な力は、平均６．４ポンドであり、５．６ポンド乃至７．２ポンドの範囲内となる。図１０にさらに明確に示されるように、ポリプロピレンプラスチックからカートリッジ２８のボディ３０と一体に形成されるアーム５４は、ボディ３０から延びて、ダート４６を支持することが好ましい。アーム５４は、オーバーモールドされたＴＰＥ球４８によって覆われることが好ましい。アーム５４は、ダート４６の安定性及びエラストマー球４８の機能を強化する。アーム５４は、収縮して、ダート４６が十分に動いてホイル内側シール３８を突き刺すことを可能にする。アーム５４の薄い輪郭と球４８の弾性とにより、アーム及び球はその本来の静止位置に戻ることができる。そして、ユーザは球４８の圧縮を繰り返して、塗布及び使用のために混合組成物を、注ぎ口６を通して供給できる。
【００２２】
パッケージを組み立てるため、カートリッジ２８には、カートリッジ２８のボディ３０内のチャンバ４２の一端を形成するために固定されるアクチュエータ膜４０が設けられる。適切な量の第２成分４４、すなわち、不安定な有効成分がカートリッジ２８内のチャンバ４２に加えられ、ホイル内側シール３８がカートリッジ２８のボディ３０の内端３４に固定され、チャンバ４２を閉じる。このとき、ホイル外側シール５０もまた、カートリッジ２８のボディ３０の外端３６に固定されてもよい。注ぎ口６に固定されたキャップ８を有する組立済みで装飾のついたチューブ４が充填ステーションに設けられる。チューブ４内のリザーバ１６から空気が抜かれると、リザーバ１６は、液状の第１成分１８（化粧品として許容できる担体）で満たされる。カートリッジ２８は、摩擦又は締まり嵌めによって、チューブ４の第２端部１２内に固定される。チューブ４の内側へ向けられたシール面２２は、カートリッジ２８の外側へ向けられたシール面３２と気密状態で噛合する。キャップ８は、注ぎ口６の先端に接して密閉し、ユーザによって選択的に開封されるまで漏出を防止する。
【００２３】
ユーザがパッケージ２を使用する準備が整ったら、プルタブ５２を引っ張ることで、ホイル外側シール５０が取り外される。図４に示されるように、ユーザは指でアクチュエータ球４８を押圧する。アクチュエータ球４８を押圧すると、ダート４６が動き、ホイル内側シール３８を突き刺す。第２成分４４中の有効成分が化粧品として許容できる担体、すなわち、第１成分１８と混合すると、リザーバ１６内に最終組成物が生成される。そして、ユーザは注ぎ口６からキャップ８を取り外し、アクチュエータ球４８を再度押圧して、塗布及び使用のために注ぎ口６を通して混合組成物を供給する。
【００２４】
本発明の利点として、ホイル内側シール３８が、不安定な成分を劣化させる恐れのある他の成分／環境から分離して不安定な成分を保存することで、第２成分４４中の不安定な成分の完全性を維持するところにある。パッケージは、動作させるのに単純で、使用は容易である。最小ステップで２つの成分が混合されて組成物を生成できる。一旦、混合されると、組成物は少なくとも１週間は有効なままである。パッケージ２は、適切ないかなる不安定な有効成分と使用可能である。さらに、混合可能なほど十分に流動性を持つ限り、それぞれ液状又は粉末状である異なる有効成分を異なる適切な担体と使用できる。
【００２５】
様々な部分の具体的な形態及び構造において、以下の請求項の範囲から逸脱せずに、様々な変形例及び変更がなされることが理解される。
【図１】
2020501870.tif 000005
【図２】
2020501870.tif 000006
【図３】
2020501870.tif 000007
【図４】
2020501870.tif 000008
【図５】
2020501870.tif 000009
【図６】
2020501870.tif 000010
【図７】
2020501870.tif 000011
【図８】
2020501870.tif 000012
【図９】
2020501870.tif 000013
【図１０】
2020501870.tif 000014
【国際調査報告】
2020501870.tif 000015
2020501870.tif 000016